(57)【要約】【課題】表示部側筐体部と操作部側筐体部とを閉じた場合に、ガタつかないで保持する機構を有する電子機器を提供すること。【解決手段】第１の筐体２と、第１の筐体２に対して第１の回動軸を中心として回動自在に設けられた第２の筐体４と、第２の筐体４に対して第１の回動軸と略直交する第２の回動軸を中心として回動自在に設けられた第３の筐体３とを備える電子機器であって、第１の筐体２に対して第３の筐体３が閉じられた場合に、第３の筐体３が第１の筐体２に向かって傾斜するように、第２の回動軸と直交する平面が、第３の筐体３と対向する第１の筐体２の平面に対して、所定の角度をなすように構成されている。【選択図】図５
2008182417.tif 000002
【特許請求の範囲】
【請求項１】
第１の筐体と、
前記第１の筐体に対して第１の回動軸を中心として回動自在に設けられた第２の筐体と、
前記第２の筐体に対して前記第１の回動軸と略直交する第２の回動軸を中心として回動自在に設けられた第３の筐体とを備える電子機器であって、
前記第１の筐体に対して前記第３の筐体が閉じられた場合に、前記第３の筐体が前記第１の筐体に向かって傾斜するように、前記第２の回動軸と直交する平面が、前記第３の筐体と対向する前記第１の筐体の平面に対して、所定の角度をなすように構成されている電子機器。
【請求項２】
前記第２の筐体と連結されていない前記第１の筐体の先端部と前記第３の筐体の先端部のいずれか一方又は双方に第１の凸部が形成されており、前記第１の回転軸を中心として、前記第１の筐体に対して前記第３の筐体が閉じられた場合に、前記第１の凸部を介して前記両先端部が保持される請求項１に記載の電子機器。
【請求項３】
前記第１の筐体には、前記第２の筐体との連結部付近に第２の凸部が形成されており、前記第１の回転軸を中心として、前記第１の筐体に対して前記第３の筐体が閉じられた場合に、前記第２の凸部を介して前記第２の筐体と前記第３の筐体との連結部分が保持される請求項１又は２に記載の電子機器。
【請求項４】
前記所定の角度が、９０°よりも大きい角度である請求項１から３のいずれか１項に記載の電子機器。
【発明の詳細な説明】
【技術分野】
【０００１】
本発明は、折り畳み式の電子機器に関し、より詳細には、２軸ヒンジ機構により表示部側筐体部が操作部側筐体部の操作部表面に対して１８０度回動可能に構成される電子機器に関する。
【背景技術】
【０００２】
折り畳み式携帯端末装置は、ヒンジ部により連結されている表示部側筐体部と操作部側筐体部とにより構成されており、ヒンジ部を中心にして開状態にすることにより、表示部側筐体部のメインディスプレイと、操作部側筐体部の操作キーを露出させる構造を有している。
【０００３】
また、このような折り畳み式携帯端末装置では、閉状態においても表示部側筐体部のメインディスプレイを外側へ露出することができる方式がある。このような方式では、ヒンジ部は、表示部側筐体部と操作部側筐体部とを開閉する開閉軸と、開閉軸に対して直交する方向に表示部側筐体部を回動する回動軸とが一体的に構成されている（例えば、特許文献１乃至３）。
【特許文献１】特開２００３−３３６６２０号公報
【特許文献２】特開２００５−０６４９３１号公報
【特許文献３】特開２００５−２８６４２９号公報
【発明の開示】
【発明が解決しようとする課題】
【０００４】
ところで、２軸ヒンジを採用した従来の携帯端末装置では、開閉軸を中心にして表示部側筐体部と操作部側筐体部とを閉じた際にガタつくことがある。このガタつきが生じる原因は、製造時に生じる組み立て誤差により、ヒンジ機構部と表示部側筐体部との間に予定外の角度が生じ、この角度に起因して表示部側筐体部と操作部側筐体部とを閉じた際に先端部が浮き上がってしまう点にある。
【０００５】
本発明は、上記問題に鑑みて成されたものであり、筐体のガタつきを抑えてしっかりと保持する機構を有する電子機器を提供することを目的とする。
【課題を解決するための手段】
【０００６】
本発明に係る電子機器は、上記課題を解決するために、第１の筐体と、前記第１の筐体に対して第１の回動軸を中心として回動自在に設けられた第２の筐体と、前記第２の筐体に対して前記第１の回動軸と略直交する第２の回動軸を中心として回動自在に設けられた第３の筐体とを備える電子機器であって、前記第１の筐体に対して前記第３の筐体が閉じられた場合に、前記第３の筐体が前記第１の筐体に向かって傾斜するように、前記第２の回動軸と直交する平面が、前記第３の筐体と対向する前記第１の筐体の平面に対して、所定の角度をなすように構成されている。
【０００７】
また、上記電子機器では、前記第２の筐体と連結されていない前記第１の筐体の先端部と前記第３の筐体の先端部のいずれか一方又は双方に第１の凸部が形成されており、前記第１の回転軸を中心として、前記第１の筐体に対して前記第３の筐体が閉じられた場合に、前記第１の凸部を介して前記両先端部が保持される構成が好ましい。
【０００８】
また、上記電子機器では、前記第１の筐体には、前記第２の筐体との連結部付近に第２の凸部が形成されており、前記第１の回転軸を中心として、前記第１の筐体に対して前記第３の筐体が閉じられた場合に、前記第２の凸部を介して前記第２の筐体と前記第３の筐体との連結部分が保持される構成が好ましい。
【０００９】
また、上記電子機器では、前記所定の角度が、９０°よりも大きい角度である構成が好ましい。
【発明の効果】
【００１０】
本発明の電子機器によれば、筐体をガタつくことなくしっかりと保持することができる。
【発明を実施するための最良の形態】
【００１１】
以下、図面を参照して本発明を実施するための最良の形態を説明する。
【００１２】
図１は、電子機器としての携帯端末装置１を開いた状態（開（オープン）状態）における正面図を示す。また、図２（Ａ）は、携帯端末装置１を開いた状態における左側面図を示し、図２（Ｂ）は、携帯端末装置１を開いた状態における右側面図を示す。また、図３は、携帯端末装置１を開いた状態における背面図を示す。
【００１３】
＜概要＞
携帯端末装置１は、操作部側筐体部（第１筐体部）２と、表示部側筐体部（第２筐体部）３とを備える。操作部側筐体部２と表示部側筐体部３とは２軸ヒンジ機構により連結され、該携帯端末装置１を開（オープン）状態及び閉（クローズ）状態にすると共に、開状態及び閉状態それぞれにおいて操作部側筐体部２を回転開（ターンオープン）状態と回転閉（ターンクローズ）状態とに切り替えることができる。
【００１４】
ここで、閉状態とは両筐体が互いに重なるように配置された状態であり、開状態とは両筐体が互いに重ならないように配置された状態をいう。そして、回転開状態とは、後述する表示部側筐体部３におけるディスプレイ３０が配置される表面と、操作部側筐体部２における操作キー群１１が配置される表面とが同じ側を向くように配置された状態であり、回転閉状態とは、操作部側筐体部２における表面と表示部側筐体部３における表面とが反対側を向くように配置された状態をいう。
【００１５】
操作部側筐体部２は、外表面がフロントパネル２ａとリアパネル２ｂにより構成される。この操作部側筐体部２は、表面であるフロントパネル２ａ側に、操作キー群１１と、携帯端末装置１の使用者が通話時に発した音声が入力される音声入力部１２とが露出するように構成される。ここで、操作キー群１１は、各種設定や電話帳機能やメール機能などの各種機能を作動させるための機能設定操作キー１３と、電話番号の数字やメールなどの文字などを入力するためのテンキーなどの入力操作キー１４（１４ａはクリアキー）と、各種操作における決定を行う決定キー１５ａと、上下方向のスクロールや左右方向のスクロール等を行う十字キー（上下方向操作キー、左右方向操作キー）１５ｂと、から構成されている。また、操作部側筐体部２は、詳細は後述する第１の凸部２６と第２の凸部２７が形成されている。
【００１６】
また、操作キー群１１を構成する各キーには、操作部側筐体部２と表示部側筐体部３の開閉状態や回転状態等の変形状態や、起動されているアプリケーションの種類に応じて所定の機能が割り当てられる（キー・アサイン）。携帯端末装置１において、操作キー群１１を構成する各キーが使用者により押圧されることで、各キーに割り当てられている機能に応じた動作が実行される。
【００１７】
また、操作部側筐体部２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、不図示のバッテリーを充電するための充電端子１９とが設けられている。なお、インターフェース１６、ヘッドホン／マイク端子１７及びインターフェース１８は、不使用時には着脱可能な防塵対策用のキャップで覆われている。
【００１８】
また、操作部側筐体部２における他方の側面には、図２（Ｂ）に示すように、一対のサイドキー（第１操作キー）２０と、撮像時に使用される操作キー２１と、電波の受信角度を調整可能な放送波受信用のアンテナ２２とを備えている。このサイドキー２０には、操作部側筐体部２と表示部側筐体部３の開閉状態や回転状態等の変形状態や、起動されているアプリケーションの種類に応じて所定の機能が割り当てられる（キー・アサイン）。ここで、上述と同様に、携帯端末装置１においてサイドキー２０が使用者により押圧されることで、サイドキー２０に割り当てられている機能に応じた動作が実行される。
【００１９】
また、操作部側筐体部２の裏面であるリアパネル２ｂには、図３に示すように、被写体を撮像するカメラ部２３と、被写体に光を照射するライト部２４とが露出して形成されている。そして、操作部側筐体部２のリアパネル２ｂには、バッテリーが着脱可能に格納されているバッテリー収納部を覆うカバーとしてのバッテリーリッド２５が設けられている。
【００２０】
また、操作部側筐体部２の上端部と表示部側筐体部３の下端部とは、図１から図３に示すように、２軸ヒンジ機構を備える連結部（連結機構部）４により連結されている。連結部４の裏面側には、図３に示すように、副操作キー群３３が該携帯端末装置１における幅方向（短手方向）に一列に並んで配置される。この副操作キー群３３を構成する各キーには、操作部側筐体部２と表示部側筐体部３の開閉状態や回転状態等の変形状態や、起動されているアプリケーションの種類に応じて所定の機能が割り当てられる（キー・アサイン）。携帯端末装置１において、操作キー群１１を構成する各キーが使用者により押圧されることで、各キーに割り当てられている機能に応じた動作が実行される。
【００２１】
表示部側筐体部３は、外表面がフロントパネル３ａとリアパネル３ｂにより構成される。表示部側筐体部３における表面側であるフロントパネル３ａには、各種情報を表示するための所定形状のディスプレイ３０と、通話の相手側の音声を出力する音声出力部３１とが露出するように構成される。
【００２２】
また、表示部側筐体部３の裏面側であるリアパネル３ｂには、各種情報を表示するための所定形状のサブディスプレイ３２が露出して配置されている。
【００２３】
このディスプレイ３０及びサブディスプレイ３２それぞれは、液晶パネルと、この液晶パネルを駆動する駆動回路と、この液晶パネルの背面側から光を照射するバックライト等の光源部とから構成される。
【００２４】
そして、表示部側筐体部３は、操作部側筐体部２に対して表状態及び裏状態に切り替え可能に連結されている。
【００２５】
＜構造＞
ここで、連結部４の構造と動作について図４から図９により説明する。図４は、携帯端末装置１を開いたオープン状態における斜視図を示す。図５は、回動連結部材４０の斜視図（図５（Ａ））と、その側面図（図５（Ｂ））を示す。図６は、図５に示した回動連結部材４０をシールドケース５０とヒンジケース（筐体）に固定したときの様子を示す図であって、図６（Ａ）は、その側面図であり、図６（Ｂ）は、フロントパネル３ａ側から見たときの斜視図であり、図６（Ｃ）は、リアパネル３ｂ側から見たときの斜視図である。また、図７は、図４に示すオープン状態から携帯端末装置１の表示部側筐体部３と操作部側筐体部２を、連結部４の開閉軸Ａを中心に矢印Ａ２方向に閉回転したときの状態（クローズ状態）の平面図を示す。図８は、図４に示すオープン状態から携帯端末装置１の表示部側筐体部３を、連結部４の回動軸Ｂを中心にして矢印Ｂ２方向に１８０°回動したときの状態（ターンオープン状態）の斜視図を示す。図９は、図８に示すターンオープン状態から携帯端末装置１の表示部側筐体部３を、連結部４の開閉軸Ａを中心に矢印Ａ２方向に閉回転し、閉じたときの状態（ターンクローズ状態）の斜視図を示す。
【００２６】
連結部４の一方端４ａには、該連結部４における表面から垂直に突出するように形成される凸形状の開閉部４ｃが形成されている。そして、操作部側筐体部２の上端部には、この凸形状の開閉部４ｃが挿嵌される凹形状の切り欠き部２ｃが形成されている。
【００２７】
この開閉部４ｃの開閉軸Ａ方向における両側それぞれには、図示しない孔部Ａが形成される。また、操作部側筐体部２の切り欠き部２ｃにおける両内側面には、図示しない孔部Ｂが形成される。そして、凸形状の開閉部４ｃが、凹形状の切り欠き部２ｃに挿嵌された状態において、孔部Ａと孔部Ｂとは互いに近接して対向するように配置されると共に、孔部Ａと孔部Ｂとの双方に円筒状の開閉連結部材が挿通される。この開閉連結部材により、操作部側筐体部２と連結部４とは、開閉可能に連結される。なお、開閉部４ｃは、操作部側筐体部２の上端部に挿嵌される形状であれば良く、特に凸形状に限られず、また、操作部側筐体部２の上端部の形状も凹形状に限られない。
【００２８】
また、連結部４の他方端側４ｂと表示部側筐体部３の下端部とは、図５に示す回動連結部材４０により回動自在に軸着されている。連結部４における表示部側筐体部３側の側面には図示しない孔部Ｃが形成される。また、表示部側筐体部３における連結部４側の側面には、孔部Ｄが形成される。そして、孔部Ｃと孔部Ｄとの双方に回動連結部材４０が挿通されることで、操作部側筐体部２と連結部４とが回動軸Ｂを中心に回動可能に連結される。
【００２９】
ここで、図５を参照しながら回動連結部材４０の構成について説明する。回動連結部材４０は、表示部側筐体部３を固定する第１の固定部４１と、ヒンジケースに固定される第２の固定部４２と、第１の固定部４１と第２の固定部４２とを回動軸Ｂ（第２の回動軸）を中心に任意の角度で回動自在に連結する回動部４３とから構成される。
【００３０】
また、第１の固定部４１の端部は、図５に示すように、回動軸Ｂに直交する平面に対して直角に形成されている。また、第２の固定部４２の端部は、図５に示すように、回動軸Ｂに直交する平面に対して９０°よりも大きい所定の角度で形成されている。ここで、所定の角度は、製造時に生じる組み立て誤差により、連結部４と表示部側筐体部３との間に生じる予定外の角度を勘案して決定されるものであり、本実施例においては、９０°よりも大きく、９５°よりも小さい角度であり、好ましくは、９０．５°〜９２．５°の範囲の角度であり、より好ましくは、９１°の角度である。
【００３１】
つぎに、図６を用いて、回動連結部材４０が表示部側筐体部３に連結している様子を示す。回動連結部材４０の第１の固定部４１の端部は、表示部側筐体部３を構成するシールドケース５０の端部に固定される。また、上述したように、第１の固定部４１の端部は、回動軸Ｂに直交する平面に対して直角に形成されているので、第１の固定部４１の端部に固定されるシールドケース５０も回動軸Ｂに直交する平面に対して直角になる。
【００３２】
このようにして、携帯端末装置１は、第１の固定部４１の端部が回動軸Ｂに直交する平面に対して直角に形成されており、また、第２の固定部４２の端部が回動軸Ｂに直交する平面に対して９０°よりも大きい所定の角度で形成されているので、開閉軸Ａを中心として、操作部側筐体部２と表示部側筐体部３とが閉じられてクローズ状態（図７に示す状態）又はターンクローズ状態（図９に示す状態）になった場合に、開閉軸Ａを基準として、常に表示部側筐体部３の先端部が操作部側筐体部２の先端部に当接するように傾斜した状態になる。したがって、携帯端末装置１は、製造時に生じる組み立て誤差があったとしても、構造的に表示部側筐体部３の先端部と操作部側筐体部２の先端部とが浮き上がって離れることがないので、ガタつきを抑えて表示部側筐体部３の先端部と操作部側筐体部２の先端部とをしっかりと保持することができる。
【００３３】
また、携帯端末装置１は、図４に示すように、連結部４に連結されていない側の操作部側筐体部２の端部表面に第１の凸部２６が形成されている。第１の凸部２６は、開閉軸Ａを中心として、操作部側筐体部２と表示部側筐体部３とが閉じられてクローズ状態（図７に示す状態）又はターンクローズ状態（図９に示す状態）になった場合に、表示部側筐体部３の端部表面が当接され、これを保持する。なお、第１の凸部２６は、操作部側筐体部２の端部表面に限らず表示部側筐体部３の端部表面に形成されていても良く、また、双方の端部表面に形成されていても良い。
【００３４】
また、携帯端末装置１は、図４に示すように、連結部４に連結されている側の操作部側筐体部２の端部表面に第２の凸部２７が形成されている。第２の凸部２７は、開閉軸Ａを中心として、操作部側筐体部２と表示部側筐体部３とが閉じられてクローズ状態（図７に示す状態）又はターンクローズ状態（図９に示す状態）になった場合に、連結部４と表示部側筐体部３との連結部分が当接され、これを保持する。なお、第２の凸部２７は、操作部側筐体部２の端部表面に限らず表示部側筐体部３の端部表面に形成されていても良く、また、双方の端部表面に形成されていても良い。
【００３５】
また、第１の凸部２６及び第２の凸部２７は、ゴム材やエラストマー材等の弾力性を有する材料で成形されている。
【００３６】
＜動作の説明＞
つぎに、連結部４の動作について説明する。携帯端末装置１は、上述したように、操作部側筐体部２と表示部側筐体部３とが連結部４により連結されているので、開閉軸Ａを中心にして、相対的に開閉動作させたり、回動軸Ｂを中心にして回動動作をさせたりすることにより様々な状態に変形することができる。
【００３７】
例えば、開閉軸Ａを中心にして、矢印Ａ１方向に相対的に開動作をさせることにより、操作部側筐体部２と表示部側筐体部３とを互いに開いた状態（通常オープン状態（第1状態））にすることができる。
【００３８】
また、開閉軸Ａを中心にして、矢印Ａ２方向に相対的に閉動作をさせることにより、操作部側筐体部２と表示部側筐体部３とを折り畳んだ状態（通常クローズ状態）にすることができる（図７を参照）。
【００３９】
また、オープン状態において、回動軸Ｂを中心に表示部側筐体部３を矢印Ｂ２方向に１８０°回動させ（図８を参照）、開閉軸Ａを中心にして表示部側筐体部３を矢印Ａ２方向に閉動作させてクローズ状態にすることにより、表示部側筐体部３のフロントパネル３ａが外側に露出したまま折畳んだ状態（ターンクローズ状態）にすることができる（図９を参照）。
【００４０】
操作部側筐体部２は、フロントパネル２ａと、上述した操作キー群１１を構成するキーシートと、キースイッチ用のフレキシブルプリント配線基板と、シールドケースと、基準電位パターン層及び携帯端末装置用のＲＦ（Ｒａｄｉｏ  Ｆｒｅｑｕｅｎｃｙ）モジュール等の各種電子部品を備える回路基板と、アンテナ部と、リアパネル２ｂと、バッテリーと、バッテリーリッド２５と、を備える。また、バッテリーは、リアパネル２ｂの外側から装脱可能に収納される。
【００４１】
また、フロントパネル２ａとリアパネル２ｂとは、互いの凹状の内側面が向き合うように配置され、互いの外周縁が重なり合うようにして結合される。また、フロントパネル２ａとリアパネル２ｂとの間には、キーシートと、フレキシブルプリント配線基板と、シールドケースと、回路基板と、アンテナ部と、がこの順番で構成されている。つまり、フレキシブルプリント配線基板を覆うようにしてシールドケースが積層配置され、また、フレキシブルプリント配線基板の上面にキーシートが積層配置される。
【００４２】
フロントパネル２ａには、携帯端末装置１を折り畳んだ状態で表示部側筐体部３のディスプレイ３０と対向する内側面に、キー孔が複数形成される。複数のキー孔それぞれからは、機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチのそれぞれにおけるメタルドーム（椀状形状）の頂点が押圧され、スイッチ端子に接触して電気的に導通する。
【００４３】
また、表示部側筐体部３は、フロントパネル３ａと、ディスプレイユニットと、シールドケース５０と、基準電位パターン層及びディスプレイ用の電子部品を備える回路基板と、サブディスプレイユニットと、リアパネル３ｂと、を備える。
【００４４】
フロントパネル３ａとリアパネル３ｂとは、互いの凹状の内側面が向き合うように配置されると共に、互いの外周縁が重なり合うようにして結合される。また、フロントパネル３ａとリアパネル３ｂとの間には、ディスプレイユニットと、シールドケース５０と、回路基板と、サブディスプレイユニットとが、フロントパネル３ａ側からこの順番で収納配置される。
【００４５】
また、シールドケース５０は断面がＨ字状の部材であり、フロントパネル３ａ側及びリアパネル３ｂ側に、浅い凹状の収容部が形成される。そして、シールドケース５０のフロントパネル３ａ側にはディスプレイユニットが収容配置され、リアパネル３ｂ側には回路基板が収容配置される。ここで、シールドケース５０は、表示部側筐体部３における曲げ動作や捩り動作に対する剛性確保のための補強部材及び静電対策用のシールドとして機能する。
【００４６】
このようにして、携帯端末装置１は、第１の固定部４１の端部が回動軸Ｂに直交する平面に対して直角に形成され、また、第２の固定部４２の端部が回動軸Ｂに直交する平面に対して９０°よりも大きい所定の角度で形成されているので、開閉軸Ａを中心として、操作部側筐体部２と表示部側筐体部３とが閉じられてクローズ状態（図７に示す状態）又はターンクローズ状態（図９に示す状態）になった場合に、開閉軸Ａを基準として、常に表示部側筐体部３の先端部が操作部側筐体部２の先端部に当接するように傾斜した状態になり、構造的に表示部側筐体部３の先端部と操作部側筐体部２の先端部とが浮き上がって離れることがないので、ガタつきを生ずることなく表示部側筐体部３と操作部側筐体部２とをしっかりと保持することができる。
【００４７】
また、携帯端末装置１は、さらに、操作部側筐体部２の端部表面に第１の凸部２６と第２の凸部２７が形成されているので、第１の凸部２６と第２の凸部２７により操作部側筐体部２と表示部側筐体部３との間にガタつきを生ずることなくしっかりと保持することができる。
【００４８】
また、携帯端末装置１は、開閉軸Ａを中心として、操作部側筐体部２と表示部側筐体部３とが閉じられてクローズ状態（図７に示す状態）又はターンクローズ状態（図９に示す状態）になった場合に、連結部４の裏面側に配置されている副操作キー群３３の押下操作時や、表示部側筐体部３のディスプレイを例えばペン等でタッチ操作する時に、必要以上の力をかけることなく容易に行うことができる。
【００４９】
また、携帯端末装置１は、第１の凸部２６及び第２の凸部２７により、開閉軸Ａを中心として、操作部側筐体部２と表示部側筐体部３とが閉じられてクローズ状態（図７に示す状態）又はターンクローズ状態（図９に示す状態）になった場合に、操作キー群１１が対向する表示部側筐体部３表面と接触しないため、クローズ状態においてディスプレイ３０を傷つけず、また、ターンクローズ状態においてサブディスプレイ３２を傷つけることがない。
【００５０】
また、クローズ状態（図７に示す状態）又はターンクローズ状態（図９に示す状態）になった場合に、操作部側筐体部２と表示部側筐体部３とをガタつくことなく保持できる構造であれば良く、第１の凸部２６及び第２の凸部２７が形成される位置、大きさ、範囲は、本実施例に限られない。
【図面の簡単な説明】
【００５１】
【図１】本発明に係る携帯端末装置の開いた状態における正面図である。
【図２】本発明に係る携帯端末装置の開いた状態における側面図である。
【図３】本発明に係る携帯端末装置の開いた状態における背面図である。
【図４】本発明に係る携帯端末装置の開いた状態における斜視図である。操作部側筐体部に内蔵される部材の分解斜視図である。
【図５】本発明に係る携帯端末装置の連結部に設けられている回動連結部材の構造を示す図である。
【図６】図５に示した回動連結部材をシールドケースとヒンジケースに固定したときの様子を示す図である。
【図７】本発明に係る携帯端末装置の表示部側筐体部と操作部側筐体部を、閉じた状態（クローズ状態）における平面図である。
【図８】本発明に係る携帯端末装置に示す表示部側筐体部を、連結部の回動軸を中心にして１８０°回動した状態（ターン状態）における斜視図である。
【図９】図８に示す表示部側筐体部を、連結部の開閉軸を中心に閉回転し、閉じた状態（ターンクローズ状態）における斜視図である。
【符号の説明】
【００５２】
１  携帯電話装置（携帯端末装置）、２  操作部側筐体部（第１の筐体）、２ａ、３ａ  フロントパネル、２ｂ、３ｂ  リアパネル、３  表示部側筐体部（第３の筐体）、４  連結部（第２の筐体）、１１  操作キー群、１２  音声入力部、１３  機能設定操作キー、１４  入力操作キー、１４ａ  クリアキー、１５ａ  決定キー、１５ｂ  十字キー、１６  インターフェース、１７  ヘッドホン／マイク端子、１８  インターフェース、１９  充電端子、２０  サイドキー、２１  操作キー、２２  アンテナ、２３  カメラ部、２４  ライト部、２５  バッテリーリッド、２６  第１の凸部、２７  第２の凸部、３０  ディスプレイ、３１  音声出力部、３２  サブディプレイ、３３  副操作キー群、４０  回動連結部材、４１  第１の固定部、４２  第２の固定部、４３  回動部、５０  シールドケース
【図１】
2008182417.tif 000003
【図２】
2008182417.tif 000004
【図３】
2008182417.tif 000005
【図４】
2008182417.tif 000006
【図５】
2008182417.tif 000007
【図６】
2008182417.tif 000008
【図７】
2008182417.tif 000009
【図８】
2008182417.tif 000010
【図９】
2008182417.tif 000011